(57)【特許請求の範囲】
【請求項１】
水平状に配設される複数の梁部材の上側に床面形成用コンクリート層が形成され、
前記床面形成用コンクリート層の上部に、移動棚に備えられた複数の移動用輪体を載置支持する複数のレールが、それらレールの上面が前記床面形成用コンクリート層の上面と同じ又はほぼ同じ高さになる状態で、かつ、間隔を隔てて並ぶ状態で設けられた移動棚用のレール支持構造であって、
複数の前記梁部材が、前記レールの長手方向に沿いかつ複数の前記レールの間隔と同じ間隔を隔てて並ぶ状態で設けられ、
複数の前記梁部材の夫々の上部に、上下方向に伸びるレール支持部材が、それが取り付けられる前記梁部材の長手方向に沿って間隔を隔てて複数取り付けられ、
複数の前記レールの夫々が、その下方に位置する前記梁部材に取り付けられた複数の前記レール支持部材にて支持され、
前記床面形成用コンクリート層が、その内部に前記レール支持部材を埋設する状態で形成され、
矩形状の板状部材が、その両側部が隣り合う前記梁部材に支持される状態で複数設けられ、前記複数の梁部材及び前記複数の板状部材の上部に、前記床面形成用コンクリート層が形成されている移動棚用のレール支持構造。
【請求項２】
前記床面形成用コンクリート層の下方に断熱用フォーム材が設けられている請求項１に記載の移動棚用のレール支持構造。
【請求項３】
前記レール支持部材が、スタッドボルトにて構成され、
複数の前記レールの夫々に、前記レール支持部材の一つに対して外嵌する状態でナットにて締結されるレール取り付け部材が、レール長手方向に並べて設けられている請求項１又は２に記載の移動棚用のレール支持構造。
【請求項４】
前記レール支持部材が、スタッドボルトにて構成され、
複数の前記レールの夫々に、レール長手方向に隣接して並ぶ一対の前記レール支持部材の夫々に対して外嵌する状態でナットにて締結されるレール取り付け部材が、レール長手方向に並べて設けられている請求項１又は２に記載の移動棚用のレール支持構造。
【発明の詳細な説明】
【技術分野】
【０００１】
本発明は、水平状に配設される複数の梁部材の上側に床面形成用コンクリート層が形成され、前記床面形成用コンクリート層の上部に、移動棚に備えられた複数の移動用輪体を載置支持する複数のレールが、それらレールの上面が前記床面形成用コンクリート層の上面と同じ又はほぼ同じ高さになる状態で、かつ、間隔を隔てて並ぶ状態で設けられた移動棚用のレール支持構造に関する。
【背景技術】
【０００２】
かかる移動棚用のレール支持構造は、移動棚を移動自在に案内する複数のレールを支持するためのものであって、床面形成用コンクリート層の上面にて形成される床面を、フォークリフト等の搬送車が走行して、移動棚に対する物品の入出庫が行われることになる。
【０００３】
かかる移動棚用のレール支持構造における従来例として、既設床に打設されたアンカーボルトにて支持する形態で複数のレール支持用の支持板が、既設床の上方箇所に、レールの長手方向に沿って間隔を隔てて設けられ、その複数のレール支持用の支持板の上部に、レールを取り付け、床面形成用のコンクリート層を、レール支持用の支持板およびその支持板にレールを取り付ける固定具を埋設する状態で形成したものがある（例えば、特許文献１参照。）。
上記特許文献１には、既設床の設置箇所や構成については記載されていないが、その既設床としてのコンクリート製の基礎床を梁部材の上方に設ける従来例として、梁部材に載置支持したワッフルフォームの上部に、鉄筋コンクリート製スラブをコンクリート製の基礎床として形成するものがある（例えば、特許文献２参照。）。
【０００４】
【特許文献１】特開平４−２５８４０１号公報
【特許文献２】特開平９−０８８２２５号公報
【発明の開示】
【発明が解決しようとする課題】
【０００５】
移動棚を備えた物品収納設備は、予め建てられた建造物の既設床上に建設する場合の他に、柱や梁を組み立てて建造物そのものを建てながら建設することがあるが、このように建造物そのものを建てながら物品収納設備を建設する場合において、従来の移動棚用のレール支持構造を適用すると、梁部材の上方箇所にレールを設置する作業が完了するまでの工期が長く掛かり、結果的に、移動棚の据付工事が完了するまでの工期が長くかかるものであり、梁部材の上方箇所にレールを設置する作業が完了するまでの工期の短縮化が望まれるものであった。
説明を加えると、建造物そのものを建てながら物品収納設備を建設する場合において、従来の移動棚用のレール支持構造を適用すると、先ず、梁部材の上部にコンクリート製の基礎床を形成し、基礎床に打設されたアンカーボルトを用いてレール支持用の支持板を基礎床の上方箇所に設け、レール支持用の支持板の上部にレールを取り付け、次に、床面形成用のコンクリート層を、レール支持用の支持板およびその支持板にレールを取り付ける固定具を埋設する状態で形成することになるが、基礎床を形成するためには、床形成箇所にコンクリートを装填したのち、例えば１週間等、そのコンクリートが乾いて固まるまでの長時間の間、レールの設置のための作業を中断する必要があり、同様に、床面形成用のコンクリート層を形成する際にも、床形成箇所にコンクリートを装填したのち、例えば１週間等、そのコンクリートが乾いて固まるまでの長時間の間待つ必要があり、このように、コンクリート製の基礎床と床面形成用のコンクリート層との２段のコンクリート層を形成することに起因して、梁部材の上方箇所にレールを設置する作業が完了するまでの工期が長く掛かるものであった。
【０００６】
本発明は、上記実状に鑑みて為されたものであって、その目的は、建造物そのものを建てながら物品収納設備を建設する場合において、レールを充分な強度で支持しながらも、梁部材の上方箇所にレールを設置する作業が完了するまでの工期の短縮化を図ることができる移動棚用のレール支持構造を提供する点にある。
【課題を解決するための手段】
【０００７】
本発明の移動棚用のレール支持構造は、水平状に配設される複数の梁部材の上側に床面形成用コンクリート層が形成され、前記床面形成用コンクリート層の上部に、移動棚に備えられた複数の移動用輪体を載置支持する複数のレールが、それらレールの上面が前記床面形成用コンクリート層の上面と同じ又はほぼ同じ高さになる状態で、かつ、間隔を隔てて並ぶ状態で設けられたものであって、その第１特徴構成は、複数の前記梁部材が、前記レールの長手方向に沿いかつ複数の前記レールの間隔と同じ間隔を隔てて並ぶ状態で設けられ、複数の前記梁部材の夫々の上部に、上下方向に伸びるレール支持部材が、それが取り付けられる前記梁部材の長手方向に沿って間隔を隔てて複数取り付けられ、複数の前記レールの夫々が、その下方に位置する前記梁部材に取り付けられた複数の前記レール支持部材にて支持され、前記床面形成用コンクリート層が、その内部に前記レール支持部材を埋設する状態で形成され、矩形状の板状部材が、その両側部が隣り合う前記梁部材に支持される状態で複数設けられ、前記複数の梁部材及び前記複数の板状部材の上部に、前記床面形成用コンクリート層が形成されている点にある。
【０００８】
すなわち、複数のレールを、梁部材にて直接的に支持するものであるから、梁部材の強度を利用して、複数のレールを十分な強度にて支持できるものとなる。
また、この移動棚用のレール支持構造においては、複数のレールを、そのレールの間隔と同じ間隔で並ぶ複数の梁部材の上部に取り付けられたレール支持部材に取り付け、床面形成用コンクリート層を、その内部にレール支持部材を埋設する状態で形成する手順により、梁部材の上方箇所にレールを設置する作業を行うことになる。ちなみに、レール支持部材を梁部材に取り付ける作業は、レールの設置箇所にて行うことも可能であるが、梁部材を製作する箇所にて予め行い、レール支持部材を取り付けた梁部材をレール設置箇所にて組み付けるようにすると作業能率の向上のためには良い。
このように、梁部材の上方箇所にレールを設置する作業においては、床形成箇所にコンクリートを装填したのち、そのコンクリートが乾いて固まるまで作業を中断して待つ必要があるのは、床面形成用コンクリート層を形成するときのみとなるから、梁部材の上方箇所にレールを設置する作業が完了するまでの工期を短縮することが可能となるのである。
したがって、建造物そのものを建てながら物品収納設備を建設する場合において、レールを充分な強度で支持しながらも、梁部材の上方箇所にレールを設置する作業が完了するまでの工期の短縮化を図ることができる移動棚用のレール支持構造を提供するに至った。
また、矩形状の板状部材が、その両側部が隣り合う梁部材に支持される状態で複数設けられ、複数の梁部材及び複数の板状部材の上部に、床面形成用コンクリート層が形成されているものであるから、板状部材の両側部を隣り合う梁部材に支持させ、コンクリートを梁部材及び板状部材の上部に打設することにより、コンクリートを梁部材及び板状部材にて受け止めるようにしながら、床面形成用コンクリート層を形成できることになるので、隣り合う梁部材に板状部材の両側部を支持させ、コンクリートを梁部材及び板状部材の上部に打設するだけの簡単な施工作業にて、複数の梁部材及び複数の板状部材の上部に、床面形成用コンクリート層を形成することができるものとなる。
したがって、施工作業の簡略化を図ることができる移動棚用のレール支持構造を得るに至った。
【０００９】
本発明の第２特徴構成は、上記第１特徴構成に加えて、前記床面形成用コンクリート層の下方に断熱用フォーム材が設けられている点を特徴とする。
【００１０】
すなわち、床面形成用コンクリート層の下方に断熱用フォーム材が設けられているものであるから、床面形成用コンクリート層の上方箇所と床面形成用コンクリート層の下方箇所との間における熱の移動を抑制して、この床面形成用コンクリート層の上方箇所に存在する空間、つまり、移動棚が装備されて物品が収納される空間の温度管理を行なうのに好適なものにすることができる。しかも、移動棚が複数のレール上を走行するときに、例えば、騒音や振動等が発生したとしても、発生した騒音や振動等が床面形成用コンクリート層の下方に設けられた断熱用フォーム材にて吸収されることになるので、騒音や振動等が床面形成用コンクリート層の下方箇所に伝わることを抑制することができる。
【００１１】
したがって、床面形成用コンクリート層の上方箇所に存在する物品収納空間の温度管理を行なうのに好適となり、しかも、騒音や振動等が床面形成用コンクリート層の下方箇所に伝わることを抑制できる移動棚用のレール支持構造を得るに至った。
【００１４】
本発明の第３特徴構成は、上記第１又は第２特徴構成のいずれか１つの特徴構成に加えて、前記レール支持部材が、スタッドボルトにて構成され、複数の前記レールの夫々に、前記レール支持部材の一つに対して外嵌する状態でナットにて締結されるレール取り付け部材が、レール長手方向に並べて設けられている点を特徴とする。
【００１５】
すなわち、レール支持部材が、スタッドボルトにて構成され、複数のレールの夫々に、レール支持部材の一つに対して外嵌する状態でナットにて締結されるレール取り付け部材が、レール長手方向に並べて設けられているものであるから、例えば、レールや梁部材の歪み等が生じたとしても、レール支持部材に対するレール取り付け部材の上下方向における位置を調節しながら、レール取り付け部材を適正な上下位置でレール支持部材に取り付けることができるものであり、しかも、レール長手方向に並べて設けられたレール取り付け部材が、レール支持部材の一つに対して外嵌する状態でナットにて締結されるものであるから、レール長手方向に間隔を隔てて並ぶ多数の支持点にてレールを支持することが可能となって、レールを良好に支持できるものとなる。
したがって、レール取り付け部材を適正な上下位置でレール取り付け部材をレール支持部材に取り付けることができ、しかも、レールを良好に支持できる移動棚用のレール支持構造を得るに至った。
【００１６】
本発明の第４特徴構成は、上記第１又は第２特徴構成のいずれか１つの特徴構成に加えて、前記レール支持部材が、スタッドボルトにて構成され、複数の前記レールの夫々に、レール長手方向に隣接して並ぶ一対の前記レール支持部材の夫々に対して外嵌する状態でナットにて締結されるレール取り付け部材が、レール長手方向に並べて設けられている点を特徴とする。
【００１７】
すなわち、レール支持部材が、スタッドボルトにて構成され、複数のレールの夫々に、レール長手方向に隣接して並ぶ一対のレール支持部材の夫々に対して外嵌する状態でナットにて締結されるレール取り付け部材が、レール長手方向に並べて設けられているものであるから、例えば、レールや梁部材の歪み等が生じたとしても、レール長手方向に隣接して並ぶ一対のレール支持部材に対するレール取り付け部材の上下方向における位置を調節しながら、レール取り付け部材を適正な上下位置でそれら一対のレール支持部材に取り付けることができるものであり、しかも、レール長手方向に並べて設けられたレール取り付け部材が、隣接して並ぶ一対のレール支持部材の夫々に対して外嵌する状態でナットにて締結されるものであるから、レール取り付け部材がレール支持部材の半数で済むことになり、レール取り付け部材の個数を削減することにより、全体構成の低廉化を図ることができるものとなる。
したがって、レール取り付け部材を適正な位置でレール長手方向に隣接して並ぶ一対のレール支持部材に取り付けることができ、しかも、全体構成の低廉化を図ることができる移動棚用のレール支持構造を得るに至った。
【発明を実施するための最良の形態】
【００１８】
〔第１実施の形態〕
以下、本発明に係る移動棚用のレール支持構造の第１実施形態を適用した物品収納設備１について説明する。
図１、図２に示すように、物品収納設備１は、床面形成用コンクリート層１２の上面に形成された床面に、前後方向に並ぶ２台の移動棚４を備えて構成されている。床面には、４本のレール８が左右方向に間隔を隔てて並ぶ状態で設けられ、２台の移動棚４は、それらレール８に沿って前後方向に移動自在に構成されている。尚、詳述はしないが、床面形成用コンクリート層１２の上方箇所に存在する空間、つまり、移動棚４が備えられて物品６を収納する物品収納空間が保冷されるようになっている。
【００１９】
前記移動棚４は、上下方向及び左右方向に沿って並ぶ複数の物品収納部１７を備えており、それら物品収納部１７の夫々に物品６を載置するパレット５を収納できるようになっている。移動棚４の下部には、前後方向に間隔を隔てて設けられた一対の移動用輪体としての車輪１０が左右方向に４組並ぶ状態で設けられ、移動棚４に備えられた４組の車輪１０の夫々が、４本のレール８の夫々の上部に載置支持されるようになっている。４組の車輪１０の一部にはモータ１９が取り付けられ、モータ１９の駆動により移動棚４が４本のレール８に沿って前後方向に移動できるようになっている。
【００２０】
図３に示すように、４組の前記車輪１０のうち内方側に位置する車輪１０は、つば無し車輪１０ｂにて構成され、４本のレール８のうち内方側に位置するレール８は、断面形状が略矩形状である内方側レール８ｂにて構成され、つば無し車輪１０ｂが内方側レール８ｂの上部を走行するようになっている。又、図４に示すように、４組の車輪１０のうち左右両側に位置する車輪１０は、２つのつば部３１が設けられたつば付き車輪１０ａにて構成され、４本のレール８のうち左右両側に位置するレール８は、断面形状が略矩形状でありかつレール長手方向に沿って並ぶ２つの溝３２が形成された両側レール８ａにて構成され、溝３２につば部３１がはめ込まれることより、つば付き車輪１３が両側レール８ａの上部を走行するときに、つば部３１が溝３２の内側面に案内されて、左右方向の移動が規制された状態で走行するようになっている。
【００２１】
前記移動棚４が前後方向に移動することにより、前後方向に間隔を隔てた２台の移動棚４の間、あるいは、前後方向に密接する２台の移動棚４の外方側に走行通路Ｔが形成されることになる。これにより、フォークリフト７が走行通路Ｔの一端側外方から走行通路Ｔに進入して走行通路Ｔに面する物品収納部１７に対して物品６を載置するパレット６の出し入れを行なう、あるいは、床面形成用コンクリート層１２に設けられた図示しない物品搬出入箇所に対して物品６を載置するパレット６の出し入れを行なうことができるようになっている。このとき、フォークリフト７が床面形成用コンクリート層１２をスムーズに移動できるように、レール６の上面と床面とが同じ又はほぼ同じ高さになっている。
【００２２】
次に、収納棚用のレール支持構造について説明する。
図１に示すように、物品収納設備１を構成する支柱３に連結用梁２ａ及び両側のレール支持用梁２ｂが架設され、連結用梁２ａに内方側のレール支持用梁２ｂが架設され、それら連結用梁２ａ及びレール支持用梁２ｂの上側に床面形成用コンクリート層１２が形成されている。
説明を加えると、移動棚４の前方に位置しかつ左右方向に間隔を隔てて並ぶ前側の一対の支柱３同士の間に、前側の連結用梁２ａが架設され、移動棚４の後方に位置しかつ左右方向に間隔を隔てて並ぶ後側の一対の支柱３同士の間に、後側の連結用梁２ａが架設されている。そして、前側の一対の支柱３のうち右側に位置する支柱３と後側の一対の支柱３のうち右側に位置する支柱３との間、及び、前側の一対の支柱３のうち左側に位置する支柱３と後側の一対の支柱３のうち左側に位置する支柱３との間に、それら支柱３に連結されるとともにレール８を支持するように構成された両側のレール支持用梁２ｂが架設され、前側の連結用梁２ａの中央部から右寄りの箇所と後側の連結用梁２ａの中央部から右寄りの箇所との間、及び、前側の連結用梁２ａの中央部から左寄りの箇所と後側の連結用梁２ａの中央部から左寄りの箇所との間に、それら連結用梁２ａに連結されるとともにレール８を支持するように構成された内方側のレール支持用梁２ｂが架設されている。これにより、梁部材としての４本のレール支持用梁２ｂが、水平状に左右方向に間隔を隔てて並ぶ状態で設けられることになる。
そして、図３〜図６に示すように、４本の前記レール支持用梁２ｂが、レール８の長手方向に沿いかつレール８の間隔と同じ間隔を隔てて並ぶ状態で設けられ、４本のレール支持用梁２ｂの夫々の上部に、上下方向に伸びるレール支持部材２２が、それが取り付けられるレール支持用梁２ｂの長手方向に沿って間隔を隔てて複数取り付けられ、４本のレール８の夫々が、その下方に位置するレール支持用梁２ｂに取り付けられた複数のレール支持部材２２にて支持されている。
【００２３】
板状部材としての矩形状の金属製のデッキプレート１４が、その両側部が隣り合うレール支持用梁２ｂに支持される状態で前後方向に複数並べて設けられている。そして、デッキプレート１４及びレール支持用梁２ｂの上部に、床面形成用コンクリート層１２が、その内部にレール支持部材２２を埋設する状態で形成されている。又、断熱用フォーム材としての発泡ウレタン１３がデッキプレート１４の下面を完全に覆う状態で層状に設けられている。これにより、床面形成用コンクリート層１２の下方に発泡ウレタン１３が設けられることになる。
【００２４】
前記レール支持部材２２が、スタッドボルトにて構成され、４本のレール８の夫々に、レール支持部材２２の一つに対して外嵌する状態でナット２３にて締結されるレール取り付け部材としてのレール取り付け金具２１が、レール長手方向に並べて設けられている。
【００２５】
説明を加えると、断面形状が略エ字状のレール支持用梁２ｂの上部に、上下方向に伸びるレール支持部材２２が、レール長手方向に並ぶ状態で溶接されている。レール取り付け金具２１は、長孔２１ｄが形成された下面部２１ａと、レール８に溶接される上面部２１ｂと、下面部２１ａと上面部２１ｂとを接続する接続部２１ｃとを備えて、断面形状が略コ字状に形成されている。そして、図５に示すように、下面部２１ａに形成された長孔２１ｄにレール支持部材２２を貫通させることにより、レール支持部材２２に下面部２１ａを外嵌し、レール支持部材２２に取り付けられた２つのナット２３にて下面部２１ａを上下方向から挟み込まれる状態で締結することにより、レール支持部材２２にレール取り付け金具２１を取り付けることになる。
尚、３本の鉄筋２４が、上下方向に間隔を隔てて並ぶ状態で配設され、それら３本の鉄筋２４の組が、平面視において格子状に配設され、３本の鉄筋２４の組がレール支持部材２２の側方に固定されている。
【００２６】
次に、収納棚用のレール支持構造の施工手順について説明すると、予め、レール支持用梁２ｂを製作する箇所にてレール支持用梁２ｂにレール支持部材２２を溶接し、レール８を製作する箇所にてレール８にレール取り付け金具２１を溶接しておく。支柱３に連結用梁２ａ及び両側のレール支持用梁２ｂを組み付け、連結用梁２ａに内方側のレール支持用梁２ｂを組み付け、隣り合うレール支持用梁２ｂにデッキプレート１４の両側部を支持させる。下面部２１ａに形成された長孔２１ｄにレール支持部材２２を貫通させることにより、レール支持部材２２に下面部２１ａを外嵌し、レール支持部材２２に取り付けられた２つのナット２３にて下面部２１ａを上下方向から挟み込まれる状態で締結することにより、レール支持部材２２に対するレール取り付け金具２１の上下方向における位置を調節しながら、レール取り付け金具２１を適正な上下位置でレール支持部材２２に取り付ける。ちなみに、長孔２１ｄがその長手方向がレール８の長手方向に沿う状態で形成されているので、下面部２１ａに形成された長孔２１ｄにレール支持用梁２ｂの長手方向に沿って取り付けられたレール支持部材２２を貫通させ易い。これにより、レール８が、その下方に位置するレール支持用梁２ｂに溶接された複数のレール支持部材２２にて支持されることになる。３本の鉄筋２４の組を平面視において格子状に配設し、３本の鉄筋２４の組とレール支持部材２２とを固定し、コンクリートを床形成箇所にレール８の上面がコンクリートの上面と同じ又はほぼ同じ高さになるように装填して、レール支持部材２２、レール取り付け金具２１を埋没する状態で床面形成用コンクリート層１２を形成する。そして、発泡ウレタン１３をデッキプレート１４の下方から吹き付けて、デッキプレート１４の下方に発泡ウレタン１３の層を形成する。
したがって、レール支持用梁２ｂの上方箇所にレール８を設置する作業においては、床形成箇所にコンクリートを装填したのち、そのコンクリートが乾いて固まるまで作業を中断して待つ必要があるのは、床面形成用コンクリート層１２を形成するときのみとなるから、レール支持用梁２ｂの上方箇所にレール８を設置する作業が完了するまでの工期を短縮することができる。
【００２７】
〔第２実施形態〕
以下、本発明に係る移動棚用のレール支持構造の第２実施形態について説明するが、基本的な構成は、上記第１実施の形態と同様であるので、同様な構成については、第１実施の形態と同じ符号を付け、説明は省略する。
【００２８】
前記レール支持部材２２が、スタッドボルトにて構成され、４本のレール８の夫々に、レール長手方向に隣接して並ぶ一対のレール支持部材２２の夫々に対して外嵌する状態でナット２３にて締結されるレール取り付け金具２６が、レール長手方向に並べて設けられている。
【００２９】
説明を加えると、図７、図８に示すように、断面形状が略エ字状のレール支持用梁２ｂの上部に、レール支持部材２２及びその左右両側に位置するアジャスタボルト２７が、レール長手方向に並ぶ状態で溶接されている。レール取り付け金具２６は、一辺が長く形成された矩形の板を、レール８に溶接される上面部２６ａと、その上面部２６ａの両端からその上面部２６ａに垂直な方向に延びる屈曲部２６ｂと、屈曲部２６ｂ夫々の端部から上面部２６ａと平行に外方側に突出しかつ長孔２６ｄ及びその左右両側に位置する長孔２６ｅが形成された下面部２６ｃとを備えるように長尺方向に沿って折り曲げ成形してなる。
【００３０】
そして、前記下面部２６ｃに形成された長孔２６ｄ及びその左右両側に位置する長孔２６ｅに、レール支持部材２２及びその左右両側に位置するアジャスタボルト２７を貫通させることにより、下面部２６ｃをレール支持部材２２及びその左右両側に位置するアジャスタボルト２７の夫々に対して外嵌し、レール支持部材２２に取り付けられたナット２３にて下面部２６ｃの下面における中央部箇所を上方に押し上げかつレール支持部材２２の左右両側に位置するアジャスタボルト２７に取り付けられたナット２８にて下面部２６ｃの上面における左右両側箇所を下方に押し下げる状態で締結することにより、レール取り付け金具２６が一対のレール支持部材２２及びその左右両側に位置するアジャスタボルト２７の夫々に対して上下高さを変更自在に取り付けられている。
【００３１】
〔別実施の形態〕
（１）上記実施の形態では、物品収納空間が保冷される構成を例示したが、これに代えて、例えば、物品収納空間が保温される構成でも良く、要するに、物品収納空間の温度が調節されている構成であれば良い。
【００３２】
（２）上記実施の形態では、前後方向に並ぶ２台の移動棚４を例示したが、前後方向に並ぶ２台よりも多い複数台の移動棚４でも良く、さらに、複数台の移動棚４の前後方向外方側に固定棚を設けても良い。
【００３３】
（３）上記実施の形態では、レール支持用梁２ｂを製作する箇所にてレール支持用梁２ｂにレール支持部材２２を溶接し、レール８を製作する箇所にてレール８にレール取り付け金具２１を溶接する構成を例示したが、これに代えて、例えば、レール８の設置箇所にてレール支持用梁２ｂにレール支持部材２２を溶接し、レール８にレール取り付け金具２１を溶接しても良く、溶接する場所は適宜変更することが可能である。
【００３４】
（４）上記実施の形態では、フォークリフト７が物品収納部１７に対して物品６を載置するパレット６の出し入れを行なう構成を例示したが、これに代えて、例えば、スタッカクレーンや走行台車が物品収納部１７に対して物品６を載置するパレット６の出し入れを行なう構成でも良い。
【００３５】
（５）上記実施の形態では、コンクリートを床形成箇所にレール８の上面がコンクリートの上面と同じ又はほぼ同じ高さになるように装填して床面形成用コンクリート層１２を形成する構成を例示したが、これに代えて、例えば、プレキャストコンクリート板等を設置して床面形成用コンクリート層１２を形成する構成でも良い。
【００３６】
（６）上記実施の形態では、隣り合うレール支持用梁２ｂにデッキプレート１４の両側部を支持させ、発泡ウレタン１３をデッキプレート１４の下方から吹き付けて、デッキプレート１４の下側に発泡ウレタン１３の層を形成する構成を例示したが、このような構成に代えて、発泡ウレタン１３の断熱板をデッキプレート１４の下側に設ける構成でも良い。
【００３７】
（７）上記実施の形態では、断熱用フォーム材が発泡ウレタン１３である構成を例示したが、このような構成に代えて、断熱用フォーム材が他の発泡性のプラスチック、例えば、ポリエチレン、ポリスチレン、フェノールであっても良い。
【００３８】
（８）上記実施の形態では、複数のレール８の夫々に、レール長手方向に隣接して並ぶ一対のレール支持部材２２の夫々に対して外嵌する状態でナット２３にて締結されるレール取り付け部材が、レール長手方向に並べて設けられている構成を例示したが、このような構成に代えて、複数のレール８の夫々に、レール長手方向に隣接して並ぶ２よりも多い複数のレール支持部材２２の組の夫々に対して外嵌する状態でナット２３にて締結されるレール取り付け部材が、レール長手方向に並べて設けられている構成としてもよい。
【図面の簡単な説明】
【００３９】
【図１】第１実施形態における移動棚用のレール支持構造の平面図
【図２】第１実施形態における移動棚用のレール支持構造の側面図
【図３】第１実施形態における移動棚用のレール支持構造の横断面図
【図４】第１実施形態における移動棚用のレール支持構造の横断面図
【図５】第１実施形態における移動棚用のレール支持構造の斜視図
【図６】第１実施形態における移動棚用のレール支持構造の斜視図
【図７】第２実施形態における移動棚用のレール支持構造の横断面図
【図８】第１実施形態における移動棚用のレール支持構造の縦断面図
【符号の説明】
【００４０】
２ｂ        梁部材
８          レール
１０        移動用輪体
１２        床面形成用コンクリート層
１３        断熱用フォーム材
１４        板状部材
２１、２６  レール取り付け部材
２２        レール支持部材
２３、２８  ナット
【図１】
0004678527.tif 000002
【図２】
0004678527.tif 000003
【図３】
0004678527.tif 000004
【図４】
0004678527.tif 000005
【図５】
0004678527.tif 000006
【図６】
0004678527.tif 000007
【図７】
0004678527.tif 000008
【図８】
0004678527.tif 000009